(57)【特許請求の範囲】
【請求項１】
足甲表の少なくとも一部を覆う足表部と足甲裏の少なくとも一部を覆う足裏部とを含む固定部と、
前記固定部の前記足表部の側の連結部と前記足裏部の側の連結部とを連結して足趾間で係止させる係止部とを含み、
前記係止部は、１箇所の足趾間に対し少なくとも一対の緊締部材で構成され、前記一対の緊締部材の一方および他方は、長手方向の中央部で互いに所定の間隔をもって配設され、かつ前記中央部からそれぞれ前記足表部の側の連結部と前記足裏の側の連結部へかけて、漸次、互いに離間するように配設される、足サポータ。
【請求項２】
前記固定部が、母趾球および小趾球を覆う緊締部材を含む、請求項１に記載の足サポータ。
【請求項３】
前記固定部および前記係止部が編地と一体化された靴下の形状を有する、請求項１または２に記載の足サポータ。
【発明の詳細な説明】
【技術分野】
【０００１】
本発明は、着用により足の特定の部位に着圧刺激を生じさせることができる足サポータに関する。
【背景技術】
【０００２】
近年、サポート機能が付与された足着用衣類が注目されている。
例えば、特開２００６−３４８４０６号公報（特許文献１）には、少なくとも、筒状の足甲部と、筒状の足首部と、２箇所以上の指間で形成される指間係止部と、足裏部で、足裏中央部から足指の付け根近傍にかけて、足の長さ方向の縦方向の配置した第一サポート部と、第一サポート部に連続して、足裏中央部から左右の踝付近にかけてＶ字状に分かれた後、踵の後ろ側で連結した第二サポート部を備え、第一、第二サポート部は他の部分よりも緊締力を大とし、着用状態で、指間係止部が指股に係止されて、第一サポート部と第二サポート部により踵側へ引っ張られて、土踏まずの縦アーチおよび横アーチを形成する構成としていることを特徴とする足コンディショニングウエアが開示されている。
【０００３】
また例えば、特開２０１３−１４８５７号公報（特許文献２）には、全体が横編機で編成された編み組織からなるサポートソックスであって、タック編で編成された編地のコースに沿って延びる畦が形成されることにより、他の編み組織よりも厚さが増していて、着用者が足を接地した状態において、その着用者の荷重により前記畦が着用者の足の裏を上側へ押して刺激するタックサポートを足の底側に選択的に有し、足の各指がそれぞれ挿入される５つの開口を足の甲側に区画し、着用状態において、着用者の足指の各間に引っ掛けられる紐状サポートを有しており、前記タックサポートは、足の土踏まず部分に形成された土踏まずサポートを含む、サポートソックスが開示されている。
【先行技術文献】
【特許文献】
【０００４】
【特許文献１】特開２００６−３４８４０６号公報
【特許文献２】特開２０１３−１４８５７号公報
【発明の概要】
【発明が解決しようとする課題】
【０００５】
特許文献１の足コンディショニングウエアは、着用によって足のアーチを強制的に形成させるように負荷をかける構造を有する。そのような負荷をかけるための構造の１つとして、足指間中央に係止させ、足裏側で踵へ向かって引っ張る係止部を採用している。
【０００６】
特許文献２のサポートソックスは、着用によって土ふまずを直接的に刺激するものであり、このような刺激を与えるための構造として、畦構造を採用している。負荷的な構造として、足指の延在方向にほぼ平行に引っ張る紐状サポートを有するが、畦構造の存在により、着用時に紐状サポートはなるだけ接地しないように構成されている。
【０００７】
このように、従来のサポート機能付き足着用衣類は、足全体の形状を強制的に理想形に変形させるものであり、足趾力を向上させる足趾の動きを効果的に補助するものにはなっていない。
【０００８】
本発明は、このような従来技術の問題点に鑑みて開発されたものである。それゆえに本発明の主たる課題は、足趾力を向上させる足趾の動きを補助することができる足サポータを提供することにある。
【課題を解決するための手段】
【０００９】
（１）
本発明の足サポータは、固定部と係止部とを含む。固定部は、足甲表の少なくとも一部を覆う足表部と足甲裏の少なくとも一部を覆う足裏部とを含む。係止部は、固定部の足表部の側の連結部と足裏部の側の連結部とを連結して足趾間で係止させる。係止部は、１箇所の足趾間に対し少なくとも一対の緊締部材で構成される。また、一対の緊締部材の一方および他方は、長手方向の中央部で互いに所定の間隔をもって配設され、かつ、中央部からそれぞれ足表部の側の連結部と足裏の側の連結部へかけて、漸次、互いに離間するように配設される。
【００１０】
一対の緊締部材は、長手方向の中央部で互いに所定の間隔をもって配設されているため、着用時に、人体の足趾間に存在する水かきの両端部分に対応する。これによって、着用時に、人体の足趾間に存在する水かきの両端部分に着圧刺激を生じさせることができる。従って、足趾力を向上させる足趾の動きを補助することができる。
また、一対の緊締部材が、長手方向の中央部からそれぞれ足表部の側の連結部と足裏の側の連結部へかけて、漸次、互いに離間するとは、一対の緊締部材において、当該中央部相互の距離よりも、足表部の側の連結部相互の距離および足裏部の側の連結部相互の距離の方が大きくなるように配設されていることをいう。
【００１１】
（２）
本発明の足サポータにおいて、固定部は、母趾球および小趾球を覆う緊締部材を含んでよい。
母趾球とは、第一中足骨頭をいい、小趾球とは、第五中足骨頭をいう。
これによって、着用時に、人体の足の前足部を締め付けるよう負荷を加えることができる。
【００１２】
（３）
本発明の足サポータは、固定部および係止部が編地と一体化された靴下の形状を有してよい。
これによって、通常の足衣類と同様の利便性を確保することができる。
なお、靴下としては、足を覆う衣類であれば特に限定されない。靴下の長さも、膝上長さ、脛長さ、踝の上方近傍長さ、踝の下方近傍長さ、土ふまず近傍長さなど、特に限定されない。また、靴下のつま先部分は、分かれていてもよいし、分かれていなくてもよい。靴下のつま先部分が分かれている場合は、例えば５つに分かれている所謂５本指ソックス形状のものでもよいし、４つ以下に分かれている形状のものでもよい。また、つま先部分が分かれているものは、つま先先端部を有しない形状（所謂指抜き仕様）となっていてもよい。
【発明の効果】
【００１３】
この発明によれば足趾力を向上させる足趾の動きを補助することができる足サポータを提供することができる。
【図面の簡単な説明】
【００１４】
【図１】第１の実施形態にかかる足サポータの模式的外観斜視図である。
【図２】図１の足サポータを正面側からみた模式的外観図である。
【図３】図１の足サポータを足裏側からみた模式的外観図である。
【図４】図３の要部拡大図である。
【図５】第１の実施形態の他の例を示す模式的外観斜視図である。
【図６】第１の実施形態のさらなる他の例を示す足裏側からみた模式的外観図である。
【図７】第１の実施形態のさらなる他の例を示す足裏側からみた模式的外観図である。
【図８】第２の実施形態にかかる足サポータの要部拡大図である。
【図９】第３の実施形態にかかる足サポータの要部拡大図である。
【図１０】第４の実施形態にかかる足サポータの模式的外観斜視図である。
【発明を実施するための形態】
【００１５】
［第１実施形態］
以下に、本発明を、その実施形態を表す図面を参照し詳述する。
なお、本明細書において、足サポータの前足部とは、着用時に人体の前足部の少なくとも一部を覆う部分をいう。人体の前足部は、１４個の趾骨と５本の中足骨とから構成される骨格を有する足の部分である。
また、足サポータの中足部とは、着用時に人体の中足部の少なくとも一部を覆う部分をいう。人体の中足部は、第一楔状骨、第二楔状骨、第三楔状骨、立方骨、および舟状骨から構成される骨格を有する足の部分である。
さらに、足サポータの後足部とは、着用時に人体の後足部の少なくとも一部を覆う部分をいう。人体の後足部は、距骨と踵骨とから構成される骨格を有する足の部分である。
【００１６】
図１は、第１の実施形態にかかる足サポータ（右足用）の模式的外観斜視図である。図２は、図１の足サポータを正面側（つま先側）からみた模式的外観図である。図３は、図１の足サポータを足裏側からみた模式的外観図である。図４は、図３の要部（係止部付近）拡大図である。
【００１７】
（足サポータ１００概要）
足サポータ１００は、図１に示すように、前足部２００と係止部３００とを含む。足サポータ１００は、さらに踵部４００および足首部４５０を含む。前足部２００、係止部３００、踵部４００および足首部４５０は、編地部５００と一体的に形成されている。足サポータ１００は、編地部５００が、それぞれ独立した５個の足趾袋部５１０、足趾部５２０、甲部５３０（甲部５３０は、甲の裏側も覆うことができる）および脚部５４０を含む５本指ソックスの形状をなす。なお、踵部４００、足首部４５０および編地部５００は必須の構成ではない。
【００１８】
（前足部２００）
前足部２００は、後述の係止部３００を固定するように配設される。具体的には、図２に示すように、足表の一部を覆う足表部２３０と、足裏の一部を覆う足裏部２４０とを含む。また、前足部２００は、足表部２３０と足裏部２４０とが連続した環状形状を有する。さらに、前足部２００は、図３に示すように、着用時において足裏部２４０が母趾球Ｈおよび小趾球Ｐを覆うように配設される。
【００１９】
前足部２００は、編地部５００よりも緊締力が大きい緊締部材で構成される。これにより、前足部２００は、図２の矢印Ｆ１で示されるように収縮する。したがって、着用時に、人体の足の前足部を締め付けるよう負荷を加えることができる。
なお、本実施形態では、前足部２００が緊締部材で構成されたものとして例示されるが、これに限定されず、前足部２００は、編地部５００と同じ素材で構成されていてもよい。
【００２０】
前足部２００の幅は、母趾球Ｈおよび小趾球Ｐのサイズ程度とすることができる。例えば、前足部２００の幅は、０．５センチメートル以上７センチメートル以下とすることができる。なお、前足部２００の母趾球Ｈを覆う部分が小趾球Ｐを覆う部分より幅が大きくなるように形成されてよい。
【００２１】
（係止部３００）
係止部３００は、図２に示すように、足表部２３０と足裏部２４０とを連結することにより前足部２００に固定され、かつ、足趾間で係止するように構成される。
【００２２】
以下、親指と人差し指との間における係止部３００を挙げてより具体的に説明する。係止部３００は、一対の緊締部材３１１Ｒ，３１１Ｌからなる。一対の緊締部材３１１Ｒ，３１１Ｌは、長手方向の中央部（具体的には、長手方向の中央部における幅方向の中央点）３２１Ｒ，３２１Ｌが、足趾間中央Ｃ１を介して所定の間隔で配設される。所定の間隔は、着用対象となる人体の足趾間に存在する水かきの大きさ等によるが、たとえば、２ｍｍ以上１０ｍｍ以下である。緊締部材３１１Ｌは、中央部３２１Ｌを介して、足表側連結部３３１Ｌおよび足裏側連結部３４１Ｌにそれぞれ連結する。同様に、緊締部材３１１Ｒは、中央部３２１Ｒを介して、足表側連結部３３１Ｒおよび足裏側連結部３４１Ｒにそれぞれ連結する。
【００２３】
この場合、一対の足表側連結部３３１Ｒ，３３１Ｌ相互の距離（具体的には、足表側連結部３３１Ｒ，３３１Ｌそれぞれにおける幅方向の中央点間の距離）および一対の足裏側連結部３４１Ｒ，３４１Ｌ相互の距離（具体的には、足裏側連結部３４１Ｒ，３４１Ｌそれぞれにおける幅方向の中央点間の距離）は、いずれも、中央部３２１Ｒ，３２１Ｌ相互の距離よりも大きい。一対の足表側連結部３３１Ｒ，３３１Ｌ相互の距離および一対の足裏側連結部３４１Ｒ，３４１Ｌ相互の距離は、着用対象となる人体の足趾間に存在する水かきの大きさ等によるが、たとえば、５ｍｍ以上５０ｍｍ以下である。
従って、一対の緊締部材３１１Ｒ，３１１Ｌは、中央部３２１Ｒ，３２１Ｌから足表側連結部３３１Ｒ，３３１Ｌに向かって漸次離間し、かつ、中央部３２１Ｒ，３２１Ｌから足裏側連結部３４１Ｒ，３４１Ｌに向かって漸次離間する。このため、図２に示すように、一対の緊締部材３１１Ｒ，３１１Ｌは、正面視において、交差しないエックス字形状を有する。
【００２４】
同様に、人差し指と中指との間における係止部３００も、正面視において、交差しないエックス字形状を有する一対の緊締部材３１２Ｒ，３１２Ｌからなる。一対の緊締部材３１２Ｒ，３１２Ｌは、それぞれ、足趾間中央Ｃ２を介して中央部３２２Ｒ，３２２Ｌが所定の間隔となるように配設される。さらに、一対の緊締部材３１２Ｒ，３１２Ｌは、それぞれ、中央部３２２Ｒ，３２２Ｌを介して、足表側連結部３３２Ｒおよび足裏側連結部３４２Ｒと、足表側連結部３３２Ｌおよび足裏側連結部３４２Ｌとに連結する。
【００２５】
さらに、隣り合う緊締部材３１１Ｒと緊締部材３１２Ｌとは、足表側連結部３３１Ｒと足表側連結部３３２Ｌとが同じ位置となるように配設される。このため、緊締部材３１１Ｒと緊締部材３１２Ｌとは、足表側連結部３３１Ｒ，３３２Ｌ近傍の一部において一体化している。同様に、図２に示すように、隣り合う緊締部材３１１Ｒと緊締部材３１２Ｌとは、足裏側連結部３４１Ｒと足裏側連結部３４２Ｌとが同じ位置となるように配設されるため、足裏側連結部３４１Ｒ，３４２Ｌ近傍の一部において一体化している。
他の全ての足趾間においても上述と同様である。
【００２６】
上述のように係止部３００が形成されることにより、着用時において、係止部３００は、図２および図４中矢印Ｆ２で示すように非交差エックス字形状に沿った方向に負荷を加えることができる。より具体的には、図４中矢印Ｆ２で示す方向に負荷を加えることができる。従って、足サポータ１００の着用時において、中央部３２１Ｒ，３２１Ｌに対応する人体の足趾間部分を刺激することができる。中央部３２１Ｒ，３２１Ｌに対応する人体の足趾間部分には筋肉および靭帯が通っており、着用により、係止部３００は、中央部３２１Ｒ，３２１Ｌにおいて、人体の当該部分を効率的に刺激することができる。
【００２７】
係止部３００の幅は、着用させる人体の足のサイズによって異なり得るが、たとえば、０．４センチメートル以上２．０センチメートル以下とすることができる。
【００２８】
（踵部４００、足首部４５０）
踵部４００は、図３に示すように足裏の中足部から後足部にかけて覆い、図１に示すように足表側で前方部と後方部とに分かれ、このうち前方部は足甲を通り、後方部は踝下方およびアキレス腱下部を通り、中足部と後足部（踵）を取り囲むように構成された緊締部材である。また、足首部４５０は、足首回りを取り囲むように構成された緊締部材である。踵部４００と足首部４５０は、足首の安定度を確保する観点から、互いに連結していることが好ましい。踵部４００と足首部４５０とによって、向上した足首安定性が得られる。
【００２９】
（緊締部材の材質）
緊締部材は、着用によって、隣接する編地部５００よりも足に対する緊締力が大きくなるものであれば、どのような素材で構成されてもよい。緊締部材の緊締力は、着用により、テーピング療法におけるテーピング材によって加わる負荷を実現できる程度であることが好ましい。
【００３０】
具体的には、緊締部材は、編地仕立ておよびカットソー仕立ての生地で構成されるものが挙げられる。編地の場合、編糸の太さおよび本数、ならびに編組織の少なくともいずれかを当業者が適宜選択することで、隣接する編地部５００よりも緊締力を大きくすることができる。編組織としては、伸縮性および非伸縮性を問わない。より具体的には、緊締部材は、隣接する編地部５００よりも弾性力の大きい伸縮性生地（たとえばパワーネット）および／または弾性体（例えばゴム）を、単独または複数を重ね合わせて縫着することにより、構成されることもできる。
【００３１】
［他の例］
図５は、第１の実施形態の他の例を示す模式的外観斜視図である。図６及び図７は、第１の実施形態の他の例を示す足裏側からみた模式的外観図である。
なお、他の例においては、第１の実施形態と異なる点について説明し、同一点については説明を省略する
【００３２】
（足サポータ１００ａ）
図５は、甲部５３０および脚部５４０を有さない足サポータ１００ａを示す。足サポータ１００ａにおいては、前足部２００の代わりに、より幅広の前足部２００ａを有する。また、足サポータ１００ａにおいては、踵部４００の代わりに、前足部２００ａと足裏部で連結した踵部４００ａを有する。踵部４００ａは、中足部を取り囲むように設けられ、連結可能に分離された構造を有する。より具体的には、踵部４００ａは、右側部４１０ａと左側部４２０ａとが分離した構造を有しており、分離された右側部４１０ａと左側部４２０ａとは、環状となるように連結される。足サポータ１００ａにおいては、右側部４１０ａと左側部４２０ａとの連結は、図５に示すように面ファスナ４２１によってなされる。これによって、面ファスナ４２１を所望の強さで締め、中足部の緊締力を調整することができるとともに、矢印Ｆ３の方向へ締め上げることができる。
【００３３】
（足サポータ１００ｂ）
図６は、５個の足趾袋部５１０を有しない足サポータ１００ｂを示す。足サポータ１００ｂにおいては、５個の足趾袋部５１０を有しないことにより、足趾部５２０ｂのつま先側端縁には、５本の足趾に対応した５箇所の指抜き部が配設される。これにより、着用時における通気性を確保することができる。
【００３４】
（足サポータ１００ｃ）
図７は、５個の足趾袋部５１０、甲部５３０、踵部４００及び脚部５４０を有しない足サポータ１００ｃを示す。足サポータ１００ｃにおいては、５個の足趾袋部５１０を有しないことにより、足趾部５２０ｃのつま先側端縁には、５本の足趾に対応した５箇所の指抜き部が配設される。足裏部２４０ｃは、着用時のずれ等防止のため、土ふまず近傍まで張り出す幅で形成されてよい。例えば、２センチメートル以上１５センチメートル以下の幅とすることができる。
足サポータ１００ｃにより、着用時においてさらなる通気性を確保することができる。
【００３５】
［第２実施形態］
図８は、第２の実施形態にかかる足サポータ１００ｄの、足裏側から見た要部を示す。なお、第２の実施形態においては、主に第１の実施の形態と異なる点について説明し、同一点については説明を省略する（後述の第３，第４の実施形態についても同様）。
【００３６】
図８に示すように、足サポータ１００ｄの係止部３００ｄは、足趾間中央Ｃ１において、緊締部材３１１ｄＲの端縁と緊締部材３１１ｄＬの端縁とが接触しないように配設される。つまり、足趾間中央Ｃ１近傍において、緊締部材３１１ｄＲと緊締部材３１１ｄＬとの間に足趾部５２０ｄの生地を介してよい。
他の全ての足趾間においても、上述と同様である。
【００３７】
［第３実施形態］
図９は、第３の実施形態に係る足サポータ１００ｅの、足裏側から見た要部を示す。
図９に示すように、足サポータ１００ｅは、係止部３００ｅを有する。係止部３００ｅは、隣り合う緊締部材３１１ｅＲと緊締部材３１２ｅＬとが、完全に独立するように配設される。このため、緊締部材３１１ｅＲと緊締部材３１２ｅＬとは、足裏側連結部３４１ｅＲ，３４２ｅＬにおいて互いに接触することなく、完全分離している。つまり、足裏側連結部３４１ｅＲ，３４２ｅＬ近傍において、緊締部材３１１ｅＲと緊締部材３１２ｅＬとの間に足趾部５２０ｅの生地を介してよい。
足表側についても、他の全ての足趾間においても、上述と同様である。
【００３８】
なお、上述の第２実施形態および第３実施形態の他の形態として、足趾間中央において隣り合う緊締部材が互いに接触し、足裏側連結部および足表側連結部において隣り合う緊締部材が互いに接触することなく間に足趾部の生地を介してもよい。
【００３９】
［第４実施形態］
図１０は、第４の実施形態に係る足サポータ１００ｆの外観斜視図である。
図１０に示すように、足サポータ１００ｆは、前足部２００ｆが連結可能に分離された構造を有する。より具体的には、前足部２００ｆは、足表部２３０ｆと足裏部２４０ｆとが分離した構造を有しており、分離された足表部２３０ｆと足裏部２４０ｆとは、環状となるように連結される。足サポータ１００ｆにおいては、足表部２３０ｆと足裏部２４０ｆとの連結は、図１０に示すように面ファスナ２４１によってなされる。これによって、着用時は、面ファスナ２４１が解かれた状態で足趾を指抜き部に挿入して装着可能であるため履きやすく、且つ、面ファスナ２４１を所望の強さで締めることによって、前足部２００ｆの緊締力を調整することができる。
【００４０】
［実施形態により奏される効果］
本発明に係る足サポータによって、以下の効果が奏される。
【００４１】
足サポータ１００，１００ａ，１００ｂ，１００ｃ，１００ｄ，１００ｅ，１００ｆは、着用時に、係止部３００，３００ｄ，３００ｅが全ての足趾間に係止され、さらに、係止部３００，３００ｄ，３００ｅを構成する緊締部材（すなわち、緊締部材３１１Ｒ，３１１Ｌ，３１２Ｒ，３１２Ｌおよび他の足趾間にも同様に係止する緊締部材）が各足趾間において対をなして、長手方向中央部（すなわち、中央部３２１Ｒ，３２１Ｌ，３２２Ｒ，３２２Ｌおよび他の足趾間にも同様に存在する中央部）において、人体の足趾間に存在する水かきの両端部に着圧刺激を生じさせることができる。
【００４２】
また、足サポータ１００，１００ａ，１００ｂ，１００ｃ，１００ｄ，１００ｅ，１００ｆは、前足部２００，２００ａ，２００ｆが、母趾球Ｈおよび小趾球Ｐを覆う緊締部材から構成されるため、着用時に、人体の足の前足部を締め付けるよう負荷を加えることができる。
【００４３】
さらに、足サポータ１００，１００ａ，１００ｂ，１００ｃ，１００ｄ，１００ｅは、靴下形状を有するため、高機能でありながら、通常の足衣類と同様の利便性を確保することができる。
【００４４】
足サポータ１００，１００ａ，１００ｂ，１００ｃ，１００ｄ，１００ｅ，１００ｆは、着用により、足趾力を高める足趾の動きを補助することができるため、前進する時、前進状態から停止する時、および方向転換する時に必要な瞬発力の向上を期待することができる。また、身体の支持性（ボディバランス）の向上、ならびに、外反母趾、内反小趾および開張足に代表される足のトラブルの予防を期待することができる。さらには、リウマチやモートン病で引き起こされる違和感の緩和を期待することができる。
【００４５】
［第１，第２，第３，第４実施形態及び他の例における各部と請求項の各構成要素との対応関係］
本発明において、足サポータ１００，１００ａ，１００ｂ，１００ｃ，１００ｄ，１００ｅ，１００ｆが「足サポータ」に相当し、前足部２００，２００ａ，２００ｆが「固定部」に相当し、足表部２３０，２３０ｆが「足表部」に相当し、足裏部２４０，２４０ｃ，２４０ｆが「足裏部」に相当し、係止部３００，３００ｄ，３００ｅが「係止部」に相当し、中央部３２１Ｒ，３２１Ｌ，３２２Ｒ，３２２Ｌが「長手方向の中央部」に相当し、足表側連結部３３１Ｒ，３３１Ｌおよび足表側連結部３３２Ｒ，３３２Ｌが「足表部の側の連結部」に相当し、足裏側連結部３４１Ｒ，３４１Ｌおよび足裏側連結部３４２Ｒ，３４２Ｌが「足裏の側の連結部」に相当し、緊締部材３１１Ｒ，３１１Ｌおよび緊締部材３１２Ｒ，３１２Ｌが「一対の緊締部材」に相当し、母趾球Ｈが「母趾球」に相当し、小趾球Ｐが「小趾球」に相当する。
【００４６】
本発明の好ましい実施形態は上記の通りであるが、本発明はそれだけに制限されない。本発明の趣旨から逸脱することのない様々な実施形態が他になされる。さらに、本実施形態において、本発明の構成による作用および効果を述べているが、これら作用および効果は、一例であり、本発明を限定するものではない。
【符号の説明】
【００４７】
１００，１００ａ，１００ｂ，１００ｃ，１００ｄ，１００ｅ，１００ｆ  足サポータ
２００，２００ａ，２００ｆ  前足部
３００，３００ｄ，３００ｅ  係止部
３１１Ｒ，３１１Ｌ，３１２Ｒ，３１２Ｌ  緊締部材
３２１Ｒ，３２１Ｌ，３２２Ｒ，３２２Ｌ  中央部
３３１Ｒ，３３１Ｌ，３３２Ｒ，３３２Ｌ  足表側連結部
３４１Ｒ，３４１Ｌ，３４２Ｒ，３４２Ｌ  足裏側連結部
Ｈ  母趾球
Ｐ  小趾球
【要約】
【課題】足趾力を向上させる足趾の動きを補助することができる足サポータを提供する。
【解決手段】本発明の足サポータは、固定部と係止部とを含む。固定部は、足甲表の少なくとも一部を覆う足表部と足甲裏の少なくとも一部を覆う足裏部とを含む。係止部は、固定部の足表部の側の連結部と足裏部の側の連結部とを連結して足趾間で係止させる。係止部は、１箇所の足趾間に対し少なくとも一対の緊締部材で構成される。また、一対の緊締部材の一方および他方は、長手方向の中央部で互いに所定の間隔をもって配設され、かつ、中央部からそれぞれ足表部の側の連結部と足裏の側の連結部へかけて、漸次、互いに離間するように配設される。
【選択図】図１【図１】
0005528610.tif 000002
【図２】
0005528610.tif 000003
【図３】
0005528610.tif 000004
【図４】
0005528610.tif 000005
【図５】
0005528610.tif 000006
【図６】
0005528610.tif 000007
【図７】
0005528610.tif 000008
【図８】
0005528610.tif 000009
【図９】
0005528610.tif 000010
【図１０】
0005528610.tif 000011